(57)【要約】【課題】従来市場にあるロープの先端のフックは下部をスパイラル状に巻き付けロープに接合してある。又はロープの先端を円形にして軸部と端部を金属の板を巻き付けるか、又は編み込んで接合してある。又衣類の縫合部分は糸で縫い合わせてあり、裾上げテープで接着するものもあるがつなぎ目部分を接着するとしても表面がツルツルしたもの、凹凸がある生地、コーテング加工、ナイロン、シルク等は接着が困難とある。【解決手段】例えばロープの先端にフックを接合するものであるが、フックは丸棒を釣り針の形態に曲げ首の下方に短い直線に、末端は直角に折り曲げて成形する。ロープはフックの直線の長さ分、水平方向に丸棒と同口径の穴を穿つ。ロープとフックの直線部分に断面筒形に成形した内面に粘着剤を塗布した伸縮樹脂フィルムを一緒に挿入し熱を加え溶着するものである。又衣類の合わせ目部部分を、粘着剤を塗布したポリスチレン製の伸縮樹脂フィルムに熱を加え溶着するものである。【選択図】図６
2018158452.tif 000002
【特許請求の範囲】
【請求項１】
ロープとスプリングフック、又はロープとロープに粘着剤を塗布したポリスチレン製の伸縮樹脂フィルムに熱を加え溶着することを特徴とする接合方法。
【請求項２】
衣類の合わせ目部分に粘着剤を練り込んだポリスチレン樹脂フィルムに熱を加え溶着することを特徴とした接合方法。
【発明の詳細な説明】
【技術分野】
【０００１】
ロープ又は衣類の接合部分をそれぞれポリスチレン樹脂フィルムに熱を加えて溶着する方法に関する。
【背景技術】
【０００２】
従来市場にあるロープの先端のフックは下部をスパイラル状に巻き付けロープに接合してある（図４参照）。又はロープの先端を円形にして軸部と端部を金属の板を巻き付けるか、又は編み込んで接合してある（図２参照）。
【０００３】
衣類の縫合部分は糸で縫い合わせてあり、裾上げテープで接着するものもあるがつなぎ目部分を接着する場合表面がツルツルしたもの、凹凸がある生地、コーテング加工、ナイロン、シルク等は接着が困難とある（図５参照）。
【発明の概要】
【発明が解決しようとする課題】
【０００４】
従来市場にあるロープの先端のフックは下部をスパイラル状に巻き付けロープに接合してある。又はロープの先端を円形にして軸部と端部を金属の板を巻き付けるか、又は編み込んで接合してある。
【０００５】
衣類の縫合部分は糸で縫い合わせてあり、裾上げテープで接着するものもあるがつなぎ目部分を接着する場合表面がツルツルしたもの、凹凸がある生地、コーテング加工、ナイロン、シルク等は接着が困難とある。
【課題を解決するための手段】
【０００６】
上記課題を解決するための本発明はロープとフック類、ロープとロープ、衣類と衣類の接合を目的とし考案の内容は次の如くである。
【０００７】
一番目はロープの先端にフックを接合するものであるが、フックは丸棒を釣り針の形態に曲げ下方を短い直線に、末端を直角に折り曲げて成形する。ロープはフックの直線の長さ分を水平方向に丸棒よりやや大きな口径の穴を穿ちパイプを差し込む。ロープの先端からフックの直線部分を一緒に内面に粘着剤を塗布した断面筒形に成形した伸縮樹脂フィルムを挿入し熱を加え溶着するものである。
【０００８】
二番目はロープの先端にスプリングフックを接合するものであるが、スプリングフックの下方に丸棒で成形した轡状の金物を取り付け、ロープの先端からわずか下方に水平方向に穴を穿ちパイプを差し込み、パイプの中に轡状の金物を両方から押し込み、ロープと轡状の金物を一緒に内面に粘着剤を塗布した断面筒形に成形した伸縮樹脂フィルムを挿入し熱を加え溶着するものである。
【０００９】
三番目はロープの先端に円を作り、ロープの主軸部と末端部とを粘着剤を塗布した伸縮樹脂フィルムを断面８字状の筒形に成形しロープの主軸部と末端部とを一緒に挿入し熱を加え溶着するものである。
【００１０】
あと一つは衣類の合わせ目部部分に粘着剤を込んだポリスチレン樹脂フィルムに熱を加え溶着するとポリスチレン樹脂フィルムが熱によって衣類に浸み込みによって接着強度が高まる。
【００１１】
本考案におけるロープとは紐、糸、ベルト類を含む。
【００１２】
本考案におけるフィルムはポリスチレンの他ポリエチレン、ポリプロピレン、ポリウレタン、ポリ塩化ビニレン等他の成分の樹脂であっても良い。
【発明の効果】
【００１３】
材料並びに加工コストの削減、更にはロープ１本当たりフックの重量が率にして約６４％、重量で１２ｇの軽減がはかられる。繊維の合わせ目部分をポリスチレン樹脂フィルムで溶着した場合とミシンによる縫合とでは、糸とポリスチレン樹脂フィルムの価格並びに作業時間に差が出てポリスチレン樹脂フィルムで溶着する方がコスト安になる。
【図面の簡単な説明】
【００１４】
【図１】ロープ屋本舗の介錯ロープ
【図２】ロープ屋本舗のトラックロープ（結び目部分が編み込み）
【図３】ロープ屋本舗のトラックロープ（結び目部分が金属の板）
【図４】コーナン株式会社の丸ゴムカラーバンドを示した部分外観図
【図５】キャプテン株式会社のすそあげテープの注意書き
【図６】ロープの先端を丸めて断面８字形に筒に挿入した部分外観図
【図７】ロープと釣り針形態のフックを接合した部分外観図
【図８】同上Ａ−Ａ’断面図
【図９】ロープとスプリングフックを接合した部分外観図
【図１０】衣類の合わせ目部分を接合した部分拡大断面図
【発明を実施するための最良の形態】
【００１５】
以下本発明の最良の形態を図に基づき説明する。
【００１６】
図６に見られるようにロープの先端にフックを接合するものであるが、フックは丸棒を釣り針の形態に曲げ首の下方に短い直線に、末端は直角に折り曲げて成形する。ロープはフックの直線の長さ分、水平方向に丸棒と同口径の穴を穿つ。ロープとフックの直線部分に断面筒形に成形した内面に粘着剤を塗布した伸縮樹脂フィルムを一緒に挿入し熱を加え溶着するものである。
【００１７】
図８に見られるようにスプリングフックの下方に丸棒で成形した轡状の金物を取り付け、ロープの先端からわずか下方に水平方向に穴を穿ちパイプを差し込み、パイプの中に轡状の金物を両方から押し込み、ロープと轡状の金物を一緒に内面に粘着剤を塗布した断面筒形に成形した伸縮樹脂フィルムを挿入し熱を加え溶着するものである。
【００１８】
図５に見られるようにロープの先端に円を作り、ロープの主軸部と末端部とを粘着剤を塗布した伸縮樹脂フィルムを断面８字状の筒形に成形しロープの主軸部と末端部とを一緒に挿入し熱を加え溶着するものである。
【００１９】
図９に見られるように衣類の合わせ目部部分を、粘着剤を塗布したポリスチレン製の伸縮樹脂フィルムに熱を加え溶着するとポリスチレン樹脂フィルムが熱によって衣類に浸み込むことによって接着強度を高める。
【産業上の利用可能性】
【００２０】
素材の有効利用をはかり安価で市場に供給が可能。
【符号の説明】
【００２１】
１  ロープ
２  丸棒
３  フック
４  編み込み
５  金属の板
６  スパイラル状
７  断面８の字形に成形した筒
８  断面円形に成形した筒
９  スプリングフック  
１０  轡
１１  衣類（生地）
１２  合わせ目
１３  接着剤を塗布したフィルムシート
１４ パイプ
【図１】
2018158452.tif 000003
【図２】
2018158452.tif 000004
【図３】
2018158452.tif 000005
【図４】
2018158452.tif 000006
【図５】
2018158452.tif 000007
【図６】
2018158452.tif 000008
【図７】
2018158452.tif 000009
【図８】
2018158452.tif 000010
【図９】
2018158452.tif 000011
【図１０】
2018158452.tif 000012